(57)【要約】【課題】より自然的な姿勢で水タンク全体を提げて運ぶことができる上、取り付けの障害にならない取っ手を有し、除湿機に形成された水タンク設置空間に押し込まれて設置されやすい水タンクを提供すること。【解決手段】除湿機に形成された水タンク設置空間に取外し可能に押し込まれてその収容空間で除湿により生じる水分を収集する水タンクであって、前記収容空間内の上方あたりに、水タンク全体を提げるための取っ手が、上に引き上げられると上方に摺動し、下に押し下げられると下方に摺動するように取り付けられていることを特徴とする水タンクを提供する。【選択図】図３
0003145879.tif 000002
【実用新案登録請求の範囲】
【請求項１】
除湿機に形成された水タンク設置空間に取外し可能に押し込まれてその収容空間で除湿により生じる水分を収集する水タンクであって、
前記収容空間内の上方あたりに、水タンク全体を提げるための取っ手が、上に引き上げられると上方に摺動し、下に押し下げられると下方に摺動するように取り付けられていることを特徴とする水タンク。
【請求項２】
前記取っ手は、更に、手に掴まれるためのグリップ部と、該グリップ部の両端からそれぞれ下方に延伸した一対の取り付け部とからなる逆Ｕ字形に形成されており、且つ、引き上げられて上位置まで摺動すると大部分が水タンク外に突出し、押し下げられて下位置まで摺動すると全体が水タンク内に潜むように配置構成されていることを特徴とする請求項１に記載の水タンク。
【請求項３】
前記収容空間内の底面の中央当りに一対のレールが並立するように配置されており、該一対のレールの相対面上における上側にそれぞれ上下に延伸している案内孔が左右互いに対応しあうように形成されており、
前記取っ手は、前記一対の取り付け部の先端部の外側面にそれぞれ突起が形成してあり、これらの突起はそれぞれ前記一対のレールの一つにある案内孔に上下摺動可能に差し込んでおり、
更に、前記案内孔は、いずれも、該当のレールの、均一の厚さを有する立て板部に形成された通孔であり、
前記突起は、いずれも、前記取っ手の前記外側面から垂直的に突出してから前記立て板部を厚さの方より挟みながら摺動することができるように、前記摺動方向と直交する方向に延伸して鈎状になっていることを特徴とする請求項２に記載の水タンク。
【請求項４】
前記突起は、前記取っ手の前記外側面から垂直的に突出して前記案内孔を貫通した挿入部と、該挿入部の先端から前記摺動方向と直交する方向に延伸してなった制限部とからなっており、
前記挿入部の前記摺動方向上の幅が前記案内孔の延伸方向と直交する方向上の幅より小であり、前記制限部の延伸方向上の長さ及び少なくとも一部における前記摺動方向上の幅が前記案内孔の延伸方向と直交する方向上の幅より大であり、
また、前記案内孔には、その延伸方向と直交する方向上の幅が他の部分より広くなった幅広部が形成されており、該幅広部は、その延伸方向上の長さが前記制限部の前記長さより広く、その延伸方向と直交する方向上の幅が前記制限部の前記摺動方向上の幅より広く、且つ前記制限部の前記延伸方向上の長さより狭くなっており、
更に、前記収容空間を上方から覆う上、前記取っ手の挿通を許すと共に、前記取っ手を横倒れにならないようにサポートすることができる通孔と、前記除湿機からの水分を収集する進水口と、前記通孔の一部を両側から囲む上、該一部の通孔と共に窪んでいてる凹陥部とを備えている蓋手段を有し、
更に、前記案内孔は、前記取っ手が突起部が前記案内孔の下端に当接する下位置まで押し下げられると、前記取っ手のグリップ部がちょうど前記水タンク外から両側が前記凹陥部に囲まれる位置に入るように、前記蓋手段及び前記取っ手の２つの突起部の位置関係に対応して配置構成されており、
それにより、前記取っ手が前記通孔により横倒れ状態にならないようにサポートされている限り、前記レールから外れることなく上下摺動することができることを特徴とする請求項３に記載の水タンク。
【請求項５】
前記収容空間内に立てられている取付け柱と、
両端部に浮き子とハイレベル信号を発信するための磁石がそれぞれ取り付けられると共に、中間部が前記取付け柱に枢支されていて、前記収容空間内に溜まっている水がハイレベルになると、浮き子のある端部が浮き上がって磁石のある端部を下げ、磁場を変えることができる浮き子手段とを更に備えていることを特徴とする請求項４に記載の水タンク。
【考案の詳細な説明】
【技術分野】
【０００１】
本考案は、除湿機用の水タンクに関し、特に、除湿機に形成された水タンク設置空間に取外し可能に押し込まれてその収容空間で除湿により生じる水分を収集する水タンクに関する。
【背景技術】
【０００２】
除湿機には、通常、それに形成された水タンク設置空間に取外し可能に押し込まれていてその収容空間で除湿により生じる水分を収集する水タンクを有する。この水タンクは、前記水タンク設置空間にぴったりと押し込まれて設置されうるため、通常、従来の水桶を提げるためにそれに枢支されている逆Ｕ字形取っ手がついていない。
【０００３】
例を挙げれば、図１は特許文献１に記載された従来の除湿機１１の構造を示している。図示のように、この除湿機１１に用いられている水タンク１２は、それ自体の前面の底部近くに設けられている窪み型取っ手１３しかないため、この取っ手１３を利用して水タンク１２を除湿機１１から引き出した後、水が溜まっている水タンク１２を運ぶには、水タンク１２を自然的な姿勢で提げることができず、底部から持ち上げるしかないので、とても不便である。
【０００４】
また、図２は特許文献２に記載されたもう一つの従来の除湿機１０に取り付けられている水タンク１０１の構造を示しているが、この水タンク１０１の取っ手１０３は、水タンク１０１自体の上端縁の一側に移されていて水タンク１０１を片手で持ち上げることができるものの、やはり自然的な姿勢で提げることができず、それに、水の溜まっている水タンク１０３を持ち歩く時、水タンク１０３は、自重のため、自ずと一側に傾くようになって水が零れやすくなる。
【特許文献１】台湾特許出願第９４１１０４０４号
【特許文献２】台湾特許出願第９２３０２００８号
【考案の開示】
【考案が解決しようとする課題】
【０００５】
上記問題点に鑑みて、本考案は、それにより自然的な姿勢で水タンク全体を提げて運ぶことができる上、取り付けの障害にならない取っ手を有し、除湿機に形成された水タンク設置空間に押し込まれて設置されやすい水タンクの提供を目的とする。
【課題を解決するための手段】
【０００６】
上記目的に達成するため、本考案は、まず、除湿機に形成された水タンク設置空間に取外し可能に押し込まれてその収容空間で除湿により生じる水分を収集する水タンクであって、前記収容空間内の上方あたりに、水タンク全体を提げるための取っ手が、上に引き上げられると上方に摺動し、下に押し下げられると下方に摺動するように取り付けられていることを特徴とする水タンクを提供する。
【０００７】
そして、その実施形態として、前記取っ手は、更に、手に掴まれるためのグリップ部と、該グリップ部の両端からそれぞれ下方に延伸した一対の取り付け部とからなる逆Ｕ字形に形成されており、且つ、引き上げられて上位置まで摺動すると大部分が水タンク外に突出し、押し下げられて下位置まで摺動すると全体が水タンク内に潜むように配置構成されている水タンクが挙げられる。
【考案の効果】
【０００８】
上記構成による水タンクは、その収容空間内の上方あたりに、水タンク全体を提げるための取っ手が、上に引き上げられると上方に摺動し、下に押し下げられると下方に摺動するように取り付けられているので、該取っ手を上に引き上げて上方に摺動させた場合、より自然的な姿勢で水タンク全体を提げて運ぶことができ、下に押し下げて下方に摺動させた場合、水タンク全体の除湿機に形成された水タンク設置空間に押し込まれることに障害とならない。
【０００９】
特に、前記取っ手は、逆Ｕ字形に形成されており、且つ、引き上げられて上位置まで摺動すると大部分が水タンク外に突出し、押し下げられて下位置まで摺動すると全体が水タンク内に潜むように配置構成されている実施形態では、前記取っ手を引き上げて上位置まで摺動させ、逆Ｕ字形取っ手の大部分を水タンク外に突出させた場合、それにより水タンク全体を提げて運ぶに姿勢がもっと自然的となり、楽となる。
【考案を実施するための最良の形態】
【００１０】
以下は図面を参照して本考案を考案を実施するための好ましい形態について説明する。
【００１１】
まず、図３に示すように、本考案の水タンクは、底面２１２と周壁２１３を有することにより水を収容する収容空間２１１を画成している上方開口の箱本体２１と、箱本体２１の上方開口を覆っている蓋手段４と、水タンク全体を提げるための取っ手３と、取っ手３を案内して上下摺動できるように保持している一対のレール２２、２２と、水タンク内の水がハイレベルまで溜まると除湿機に知らせる浮き子手段５とを有している。
【００１２】
一対のレール２２、２２は、収容空間２１１内の底面２１２の中央当りに並立するように配置されている一対の立て板部２２１、２２１を有している。該一対の立て板部２２１、２２１は、共に均一の厚さを有する上、互いに相対する面の上側には、それぞれ上下に延伸している案内孔２２２、２２２が左右互いに対応しあうように貫通形成されている。
【００１３】
取っ手３は、手に掴まれるためのグリップ部３１と、該グリップ部３１の両端からそれぞれ下方に延伸した一対の取り付け部３２、３２とからなる逆Ｕ字形に形成されている。一対の取り付け部３２、３２の先端部の外側面にはそれぞれ突起３３、３３が形成されている。これらの突起３３、３３は、それぞれ一対のレール２２、２２の案内孔２２２、２２２に上下往復摺動可能に差し込んでいる。
【００１４】
更に、突起３３、３３は、それぞれ取っ手３の前記外側面から突出して対応する案内孔２２２を貫通した挿入部３３１と、該挿入部３３１の先端から取っ手３の摺動方向（図中における上下方向）と直交する方向に曲がるように延伸してなった制限部３３２とを有することにより、全体が鉤状に形成されているので、レール２２，２２の立て板部２２１，２２１を挟みながら、案内孔２２２の上端に当接する上位置と、案内孔２２２の下端に当接する下位置との間に上下往復摺動することができる。
【００１５】
蓋手段４は、収容空間２２１を上方から覆う上、取っ手３の挿通を許すと共に、取っ手３を横倒れにならないようにサポートすることができる通孔４１と、前記除湿機からの水分を収集する進水口４２と、通孔４１の中央部分を両側から囲む上、該通孔４１の中央部分と共に窪んでいてる凹陥部４３とを備えている。
【００１６】
更に、案内孔２２２、２２２は、取っ手３の突起部が案内孔２２２の下端に当接する下位置まで押し下げられると、取っ手３のグリップ部３１がちょうど水タンク外から両側が凹陥部４３に囲まれる位置に入るように、蓋手段４及び取っ手３の２つの突起部３３，３３の位置関係に対応して配置構成されている。
【００１７】
この構成により、取っ手３は、レール２２、２２に取り付けられたまま、常に蓋手段４に設けられている通孔４１及び凹陥部４３により横からサポートされていて、横倒れることなく水タンクの底面２１２に対して垂直に上下摺動することができる。
また、収容空間２１１内には浮き子手段５を取り付けるために取付け柱２３が立てられており、浮き子手段５は、両端部に浮き子５１とハイレベル信号を発信するための磁石５２がそれぞれ取り付けられると共に、中間部５３が取付け柱２３に枢支されている。
【００１８】
この構成により、収容空間２１１内に溜まっている水がハイレベルになると、浮き子５１のある端部が水面の上昇と共に浮き上がって、磁石５２のある端部を下げるので、磁石５２による磁場の変化をハイレベル信号として除湿機に知らせることができる。
【００１９】
続いて、図４〜図６を用いて取っ手３に設けられている突起３３と、レール２２の案内孔２２２との構成関係について更に詳しく説明する。まず、図４〜図６はレール２２及び取っ手３の側面略示図であり、図中では１つのレール２２と対応する取り付け部３２だけを示しているが、その反対側にあるもう１つのレール２２及対応する取り付け部３２は、図示のものと対称するようになっている。
【００２０】
まず、図４に示すように、突起３３における挿入部３３１の摺動方向（図４における上下方向）上の幅Ｗ３１と、摺動方向と直交する方向（図４における左右方向）上の長さＷ３２とが、両方とも案内孔２２２の延伸方向と直交する方向（図４における左右方向）上の幅Ｗ２１より小であり、そして制限部３３２の延伸方向（図４における左右方向）上の長Ｗ３４と、一部における摺動方向（図４における上下方向）上の幅Ｗ３３とが、案内孔２２２の延伸方向と直交する方向（図４における左右方向）上の幅より大であるように形成されている。
【００２１】
また、案内孔２２２の上端近くには、幅広部２２３として形成されている部分があり、この幅広部２２３の延伸方向（図４における上下方向）上の長さＷ２２は制限部３３２の延伸方向上の長Ｗ３４より広くなっている上、その延伸方向と直交する方向（図４における左右方向）上の幅Ｗ２３が制限部３３２の摺動方向（図中における上下方向）上の幅Ｗ３３より広いが、制限部３３２の延伸方向（図４における左右方向）上の長さW３４より狭くなるように形成されている。
【００２２】
即ち、突起３３と案内孔２２２の各部サイズについては、Ｗ２２＞Ｗ３４＞Ｗ２３＞Ｗ３３＞Ｗ２１＞Ｗ３１≒Ｗ３２の条件を満すように構成されている。
【００２３】
上記条件をみたすことにより、取っ手３が案内孔２２２に差し込んでいる突起３３を中心に回動して、制限部３３２の延伸方向（即ちＷ３４の延伸方向）と案内孔２２２の延伸方向（即ちＷ２２の延伸方向）が一致に成っている図５に示す横倒れ状態にならないと、突起３３は幅広部２２３から脱出できない。
【００２４】
上記構成を有することにより、本考案はの水タンクは、取っ手３が引き上げられて上位置まで摺動すると、図６に示すように、大部分が水タンク外に突出して提げやすい状態になり、そして取っ手３が押し下げられて下位置まで摺動すると、図７に示すように、取っ手３のグリップ部３１がちょうど水タンク外から両側が凹陥部４３に囲まれる位置に入って取っ手３全体が水タンク内に潜む収容しやすい状態になる。
【００２５】
また、レール２２、２２に取り付けられている取っ手３は、常に蓋手段４に設けられている通孔４１及び凹陥部４３により横倒れることなくサポートされているので、レール２２、２２から外れることなく図６及び図７に示す上位置と下位置との間に上下摺動することができる。
【産業上の利用可能性】
【００２６】
上記構成による本考案の水タンクは、その収容空間内の上方あたりに、水タンク全体を提げるための取っ手が、上に引き上げられると上方に摺動し、下に押し下げられると下方に摺動するように取り付けられているので、該取っ手を上に引き上げて上方に摺動させた場合、より自然的な姿勢で水タンク全体を提げて運ぶことができ、下に押し下げて下方に摺動させた場合、水タンク全体の除湿機に形成された水タンク設置空間に押し込まれることに障害とならない。
【００２７】
特に、前記取っ手は、逆Ｕ字形に形成されており、且つ、引き上げられて上位置まで摺動すると大部分が水タンク外に突出し、押し下げられて下位置まで摺動すると全体が水タンク内に潜むように配置構成されている実施形態では、前記取っ手を引き上げて上位置まで摺動させ、逆Ｕ字形取っ手の大部分を水タンク外に突出させた場合、それにより水タンク全体を提げて運ぶに姿勢がもっと自然的となって、より楽に提げて運ぶことができる。
【図面の簡単な説明】
【００２８】
【図１】従来の除湿機の一例の構造を示す分解図。
【図２】従来の除湿機に用いる水タンクの構造を示す斜視図。
【図３】本考案の好ましい実質形態の水タンクの構成を示す分解斜視図。
【図４】本考案の水タンクの取っ手とレールとの構成関係を示す要部側面図。
【図５】本考案の水タンクの取っ手とレールとの構成関係を示す要部側面図。
【図６】本考案の水タンクの取っ手が水タンク外に突出する様子を示す斜視図。
【図７】本考案の水タンクの取っ手が水タンク外内に潜む様子を示す斜視図。
【符号の説明】
【００２９】
２１２  底面
２１３  周壁
２１１  収容空間
２１  箱本体
４  蓋手段
３  取っ手
２２、２２  レール
５  浮き子手段
２２１、２２１  立て板部
２２２、２２２  案内孔
３１  グリップ部
３２、３２  取り付け部
３３、３３  突起
３３１  挿入部
３３２  制限部
４１  通孔
４２  進水口
４３  凹陥部
５１  浮き子
５２  磁石
５３  中間部
２３  取付け柱
【図１】
0003145879.tif 000003
【図２】
0003145879.tif 000004
【図３】
0003145879.tif 000005
【図４】
0003145879.tif 000006
【図５】
0003145879.tif 000007
【図６】
0003145879.tif 000008
【図７】
0003145879.tif 000009